(57)【要約】【課題】従来考えられている鏡と組み合わせて呼気からの生体情報を収集しようとするシステムでは本来洗顔や化粧、服装の確認などのために利用される最低限必要な構成要素である鏡の他に、ダクトによって分析計に接続されたマスクを洗面台の水盤を囲む部分など鏡とは別の場所に設置する必要があった。また呼気を収集し分析するためには、マスクを手に取り能動的に口腔を覆うように装着する、あるいは口腔に密着するように保持する、など洗顔や化粧、服装の確認など日常、鏡を使う時の動作とは別の動作をあらためて行う必要があった。【解決手段】本考案に係る鏡２０１は、呼気に含まれる成分を分析する呼気分析器２０４と、表側から裏側にかけて貫通する孔２０２とを有し、表側に吹きかけられた呼気が孔２０２を介して裏側に流れ、裏側に流れた呼気が呼気分析器２０４に導入される。【選択図】図２
0003128011.tif 000002
【実用新案登録請求の範囲】
【請求項１】
呼気に含まれる成分を分析する呼気分析器と、表側から裏側にかけて貫通する孔とを有し、表側に吹きかけられた呼気が前記孔を介して裏側に流れ、前記裏側に流れた呼気が前記呼気分析器に導入される、鏡。
【請求項２】
前記呼気分析器が前記裏側に取り付けられている、請求項１に記載の鏡。
【請求項３】
前記孔の断面積が０．００２平方ミリメートル以上２０．０平方ミリメートル以下である、請求項１に記載の鏡。
【請求項４】
前記呼気を表側から裏側に流すことを促すファンをさらに備えている、請求項１に記載の鏡。
【請求項５】
前記呼気を表側から裏側に流すことを促すポンプをさらに備えている、請求項１に記載の鏡。
【請求項６】
前記孔が２以上設けられている、請求項１に記載の鏡。
【請求項７】
前記呼気分析器により得られた結果を前記表側に表示する表示部が設けられている、請求項１に記載の鏡。
【考案の詳細な説明】
【技術分野】
【０００１】
本考案は鏡に関し、より詳細には、鏡面に貫通させた孔から導入される呼気に含まれる呼気分析器を有する鏡に関する。
【背景技術】
【０００２】
鏡を備えた洗面台に使用者の対分泌液、呼気などを収集し、分析する装置を備えて、その分析結果から使用者の健康診断を行うシステムが特許文献１に記載されている。その他、本願と関連する文献としては特許文献２〜８がある。これらの特許文献２〜８に開示されている事項の要約は、本明細書の末尾を参照されたい。
【特許文献１】特開平０７−２０２１４４号公報
【特許文献２】特開平０７−１１３７７４号公報
【特許文献３】特開２００６−０７５４４７号公報
【特許文献４】特開２００４−１５２６１０号公報
【特許文献５】特開２００４−１５２６０９号公報
【特許文献６】実開昭６０−１３３９６７号公報
【特許文献７】実開平０１−１１７２５６号公報
【特許文献８】実開平０６−０４８４６４号公報
【考案の開示】
【考案が解決しようとする課題】
【０００３】
特許文献１に記載のシステムでは、以下の様な課題を有していた。
【０００４】
（１）本来洗顔や化粧、服装の確認などのために利用される最低限必要な構成要素である鏡の他に、ダクトによって分析計に接続されたマスクを洗面台の水盤を囲む部分など鏡とは別の場所に設置する必要があった。
【０００５】
（２）呼気を収集し分析するためには、マスクを手に取り能動的に口腔を覆うように装着する、あるいは口腔に密着するように保持する、など洗顔や化粧、服装の確認など日常、鏡を使う時の動作とは別の動作をあらためて行う必要があった。
【０００６】
上記（２）の内容を動作フロー図で表したのが図４である。また、その構成を表した図が図５である。図５は特許文献１に開示されている第１図に相当する。なお、図４に示す動作フローは特許文献１に記載のシステムでは開示されていないが、考案者は、開示されている構成と通常使用者が取りうる行動とを考え合わせて自明な動作フローとして推測した。
【０００７】
図４を参照しながら特許文献１に記載のシステムで推測される動作ステップについて説明する。
【０００８】
まず、使用者が服装の整えなどの日常的目的のために呼気分析装置を備えた洗面台５０１の前に立つ。この動作は図４の動作ステップ４１０である。
【０００９】
次に日常的な鏡の利用目的の動作である鏡利用目的動作ステップ４２０を利用者は行う。
【００１０】
日常的な鏡の利用目的としては、例えば洗顔、化粧、服装のチェック、整えなどの動作が考えられる。
【００１１】
鏡利用目的動作ステップ４２０は更に細かな以下のステップに分解することができる。
【００１２】
例えば、服装の整えの場合、まず、ステップ４２１では、使用者はまず鏡に映った自分の外見の像を見て服装の不具合を確認する。
【００１３】
次に確認した不具合を、像を見ながら整える動作を行。この動作がステップ４２２である。
【００１４】
使用者は最終的に整え動作を完了するまで４２１と４２２のステップを繰り返し、次の動作に移る。
【００１５】
ステップ４２０が完了した後、あらためて生体情報の取得を目的とした動作に移る。このステップが生体情報取得目的動作ステップ４３０である。
【００１６】
ステップ４３０は更に細かなステップに分解することができる。
【００１７】
呼気による生体情報の取得を目的とした場合、図５に示す洗面台５０１からまずマスク５０４を取り上げて口蓋付近に装着、あるいは保持する動作がまず必要であり、これがステップ４３１である。
【００１８】
次いで、その結果、マスク５０４につながるダクトを通して使用者の吐いた呼気が分析装置に送られ収集されて分析される。これがステップ４３２である。
【００１９】
更に次のステップ４３３で分析データを何らかの情報処理手段によって処理し、処理結果を表示部５０７に表示して使用者に伝達する。これがステップ４３４である。
【００２０】
このように鏡利用目的動作４２０と連続して生体情報取得目的動作ステップ４３０が逐次的に行われ、完了すればステップ４４０で洗面台を離れることができる。
【００２１】
以上の様に、特許文献１に記載のシステムでは洗面台を利用していても、その動作において鏡を利用するための本来的な動作とは別にわざわざ生体情報取得目的の動作を行う必要があり、システムとして洗面台と生体情報取得のための機器類とを組み合わせた効果が発揮されていなかった。
【００２２】
本考案は上記従来の課題を解決するためになされ、呼気を収集するための器具の設置スペースを省略あるいは小さく、さらにその部品の数を削減するとともに、鏡利用時における洗顔や化粧、服装の確認などの日常の動作中に、新たな動作を必要としないで、使用者が新たな負担を感じることなく手軽に使用者の呼気を収集し、分析することを可能とする鏡を提供することにある。
【課題を解決するための手段】
【００２３】
上記従来の課題を解決する鏡は、呼気に含まれる成分を分析する呼気分析器と、表側から裏側にかけて貫通する孔とを有し、表側に吹きかけられた呼気が前記孔を介して裏側に流れ、前記裏側に流れた呼気が前記呼気分析器に導入される。
呼気分析器は裏側に取り付けられていることが好ましい。
孔の断面積は０．００２平方ミリメートル以上２０．０平方ミリメートル以下であることが好ましい。
呼気を表側から裏側に流すことを促すファンまたはポンプをさらに備えていることが好ましい。
孔は２以上設けられていることが好ましい。
呼気分析器により得られた結果を表側に表示する表示部が設けられていることが好ましい。
【考案の効果】
【００２４】
本考案の鏡によれば、鏡面を貫通する孔を設けることにより、鏡利用時における洗顔や化粧、服装の確認などの日常の動作中に、使用者に他の特別な動作を強いることなく鏡の表側から裏側へと使用者の呼気を通して収集し、分析できる。
孔の断面積を０．００２平方ミリメートル以上２０．０平方ミリメートル以下とすることにより、洗顔や化粧、服装の確認などの日常の動作の目的の妨げにならないようにしながら使用者の呼気を収集し分析することができる。
呼気を表側から裏側に流すことを促すファンまたはポンプをさらに備えている場合には、迅速かつ充分に鏡の表側から裏側へと使用者の呼気を通して収集し分析することができる。
【考案を実施するための最良の形態】
【００２５】
以下、本考案を実施するための最良の形態を、図面を参照しながら説明する。
【００２６】
図１は本考案の実施の形態における鏡の構成図である。
【００２７】
図中、１０１は洗面台、１０２は洗面台１０１に設置された鏡、１０３は鏡１０２の表側から裏側へと気体を通すことができるように開口された貫通孔、１０４は呼気診断の前後に係る情報を表示するために鏡１０２の表側に作りこまれた表示部、１０５は洗顔や化粧、服装の確認など一般的な鏡の日常的使用の目的で、使用者が通常立つかあるいは椅子を配置して腰掛けるときの一般的な位置、１０６は水の吐出口、１０７は水をためるための水鉢である。
【００２８】
なお、本明細書において用いられる用語「（鏡の）表側」とは、鏡において鏡像が映る面を言い、「（鏡の）裏側」とは、当該表側に対して反対側の面を言う。
【００２９】
図２は本考案に係る鏡１０２の詳細を示した図である。
【００３０】
図中、２０１は実施の形態における鏡１０１の本体上に設置された鏡、２０２は鏡２０１の表側から裏側へと気体を通すことができるように開口された貫通孔、２０３は貫通孔２０２を通って裏側へと導かれた呼気を含む空気を通す通気管、２０４は呼気分析器、２０５は鏡２０１の表側から貫通孔２０２を通して裏側へと呼気を含む空気を導くための補助となる空気の流動手段、２０６は使用者が洗顔や化粧、服装の確認など一般的な鏡の日常的使用の目的で鏡を利用する場合に写しこまれる使用者の鏡像である。
【００３１】
以上のように構成された本考案の実施の形態における鏡を用いた呼気診断方法について、以下説明する。
【００３２】
鏡は日常最も一般に外見を確認するために利用する対象の一つである。
【００３３】
例えばネクタイの装着時にはほぼ顔の大きさより大きくかつ壁や台上に顔と正対するように固定された鏡を利用する。
【００３４】
服装の確認時には少なくとも人の半身を移すことができる以上の大きで、かつ壁や台上に身体と正対するように固定された鏡を利用する。
【００３５】
また、洗顔時や化粧時には上半身を写すのに充分な大きさを備えていてかつ顔、身体に正対して固定されるのみならず、水栓や水の吐出口、受け鉢、排水溝などを備えていて、通常洗面台と称される機能集積された鏡もある。
【００３６】
いずれにおいても男女の性別、職業、老若に関係なく、およそ社会生活を営んで他者との接触がある場合、自らの外見を観察、評価し、整えるための手段として日常頻繁に鏡の前に立つ機会がある。
【００３７】
すなわち鏡は生活習慣の一つとして利用の機会が恒常的にあり、かつその利用に違和感の無いものである。
【００３８】
また洗面台では洗顔、化粧ができるのみならず、大きな鏡面を有しているためにネクタイの装着、服装のチェックなど複数の用途に共通して利用することができる。
【００３９】
よって、洗面台は家庭で家族が共通して最も頻繁にかつ一定時間以上利用する鏡の一つであると言ってよい。
【００４０】
そこで、考案を実施する最良の形態として洗面台１０１に備え付けられた鏡１０２について説明する。
【００４１】
図１に示すように、洗面台１０１上に鏡１０２が設置されている。
【００４２】
通常、使用者は使用位置１０５の付近に立つかあるいは椅子に腰掛けて鏡１０２に正対する。
【００４３】
洗顔時や化粧時には水の吐出口１０６や水鉢１０７に向かってうつむいたりかがんだりすることはあるが、そのほかは観察、整えのために鏡１０２に正対しての作業に相当の時間を費やす。
【００４４】
そこで、使用者が立ったときに、自然に吐き出す呼気があたるような部分、あるいは使用者が椅子に座ったときに、自然に吐き出す呼気があたるような部分の鏡面に、その表側から裏側へと貫通する孔１０３（以下、「貫通孔」という場合がある）が開口されている。
【００４５】
最終的に呼気を収集して分析した結果を含んだ情報は使用者が使用者位置１０５に立つ、あるいは座った時に自然に見上げて見えるような位置に設置した表示部１０４に表示する。
【００４６】
鏡に開口された貫通孔を正面図および断面図として示したものが図２である。
【００４７】
鏡２０１の前に立った使用者が自然に吐出した呼気を収集できるように、貫通孔２０２は使用者の鏡像２０６の胸のあたりに設けられている。
【００４８】
この位置は使用者がうつむいて作業することが多い場合や、椅子に座っての作業が多い場合もあり、その使用者の対してどの様な使用状態が最も一般的であるかという事実にあわせて、より低い場所に設置することもあってよい。
【００４９】
なお貫通孔２０２が鏡像に重なることになるため、あまり大きな孔である場合には外見の観察、整えの目的に対して不具合を生じることになる。
【００５０】
そこで、本考案では、貫通孔２０２の断面積を０．００２平方ミリメートル以上２０．０平方ミリメートル以下とすることが望ましい。
【００５１】
このような貫通孔２０２は、公知の細孔穿設機を用いることにより容易に鏡２０１に形成することができる。
【００５２】
洗顔や化粧、服装の確認など一般的な鏡の日常的使用の目的で鏡２０１の前に立った使用者の像は使用者の鏡像２０６の様に写しこまれる。
【００５３】
また、自然に吐出した使用者の呼気が貫通孔２０２を通って通気管２０３へと導かれ、通気管内に設置された呼気分析器２０４のまわりを通って排気口２０７から排気される。
【００５４】
この時、使用者の口から吐出された呼気は自然な拡散によってもその一部が貫通孔２０２に到達し、通気管２０３を通って排気口２０７から排気される。
【００５５】
排気口２０７の手前に設置された人工的な空気の流動手段２０５によって強制的に吸気した場合にはより確実かつ迅速に呼気成分を収集し分析することが可能となる。
【００５６】
この時、空気の流動手段２０５は一般的な送気手段として考えられるものであれば何でもよく、例えば換気扇や扇風機に用いられるファンでもよいし、ダイヤフラムやロータリーポンプなどの気体用ポンプでもよい。
【００５７】
次に図３を参照しながら本考案の動作ステップについて説明する。
【００５８】
まず、使用者が服装の整えなどの日常的目的のために呼気分析装置を備えた洗面台１０１の前、使用者立ち位置１０５付近に立つ。
【００５９】
この動作は図３の動作ステップ３１０である。
【００６０】
次に日常的鏡利用目的の動作であるステップ３２０を行う。
【００６１】
日常的鏡利用目的には例えば洗顔、化粧、服装のチェック、整えなどの動作が考えられる。
【００６２】
ステップ３２０は更に細かなステップに分解することができる。
【００６３】
例えば服装の整えの場合、使用者がまず鏡に映った自分の外見の像を見て服装の不具合を確認する動作がステップ３２１である。
【００６４】
次に確認した不具合を像を見ながら整える動作を行うが、その動作がステップ３２２である。
【００６５】
使用者は最終的に整え動作を完了するまで３２１と３２２のステップを繰り返し、次の動作に移る。
【００６６】
一方、本考案の構成では洗面台１０１の鏡面２０１に貫通孔２０２が開口されており、使用者が服装のチェックなどの鏡利用目的動作を中断することなく呼気を収集することができる。
【００６７】
よって、ステップ３１０で使用者が洗面台の前に立った時点で、鏡利用目的動作ステップ３２０と並行して、呼気による疾病健康診断動作ステップ３３０を開始することができる。
【００６８】
また、生体情報取得センサーなどによってステップ３１０で使用者が洗面台の前に立ったことを感知できれば自動的に呼気診断動作ステップ３３０を開始することができ、鏡利用目的動作ステップ３２０を中断する必要は全く無い。
【００６９】
ステップ３３０は更に細かなステップに分解することができる。
【００７０】
鏡利用目的動作ステップ３２０のために鏡の前に立っているだけで、その動作を全く阻害することなく鏡２０１に開口した貫通孔２０２から使用者の呼気を収集し、分析することができる。これがステップ３３１である。
【００７１】
次のステップ３３２で分析データを何らかの情報処理手段２０８によって処理し、処理結果を表示部２０９に表示して使用者に伝達する。これがステップ３３３である。
【００７２】
図２には特にその配線を書き表してはいないが、呼気分析器２０４、情報処理手段２０８、表示部２０９は相互に有線あるいは無線で接続されデータを授受することができる。
【００７３】
このように鏡利用目的動作３２０と並行して呼気診断動作３３０が行われ、完了すればステップ３４０で洗面台を離れることができる。
【００７４】
以上の様に、本考案では、鏡２０１の表側から裏側へと貫通孔を開口して使用者の呼気を裏側の呼気分析器２０４へと収集し、分析できるようにしたことにより、日常の鏡利用目的のために洗面台の利用を一切妨げることなく並行して呼気による疾病・体調の診断を行うことができる。
【産業上の利用可能性】
【００７５】
本考案は呼気を収集するための器具を鏡裏側に設置して設置スペースを省略あるいは少なくし、またその部品の数を削減するとともに、鏡利用時における洗顔や化粧、服装の確認などの日常の動作中に、新たな動作を必要としないで、使用者が新たな負担を感じることなく手軽に使用者の呼気を収集し、分析することを可能とする鏡を提供することができる。
【００７６】
これにより、家庭における日常的な健康診断を行うことを可能とし、健康状態の悪化や疾病の発生・進行の前にその予兆を捉えて予防的手段を講じることができるようになり、健康維持増進に寄与するとともに家庭の医療費出費を抑制し、引いては国民医療費の削減に効果を発揮する。
【００７７】
（本願と関連する文献の一覧と要約）
特許文献１（特開平０７−２０２１４４号公報）には、鏡を備えた洗面台に使用者の対分泌液、呼気などを収集し、分析する装置を備えて、その分析結果から使用者の健康診断を行うシステムが開示されている。
特許文献２（特開平０７−１１３７７４号公報）には、自動車内に備えられる呼気成分検出装置であって、呼気成分センサと、それに接続されたポンプが開示されている。
特許文献３（特開２００６−０７５４４７号公報）には、携帯電話に子機成分検出装置を備えることが開示されている。
特許文献４（特開２００４−１５２６１０号公報）には、鏡の裏側に対人センサを設けることが開示されている。
特許文献５（特開２００４−１５２６０９号公報）には、鏡の裏側に対人センサを設けることが開示されている。
特許文献６（実開昭６０−１３３９６７号公報）には、鏡の裏側に光センサを設けることが開示されている。
特許文献７（実開平０１−１１７２５６号公報）には、鏡に孔をあけ、当該孔からファンを介して温風が噴出することが開示されている。
特許文献８（実開平０６−０４８４６４号公報）には、鏡に孔をあけ、この孔に時計を埋め込み、鏡の表側から時計を見ることができることが開示されている。
【図面の簡単な説明】
【００７８】
【図１】本考案の実施の形態における鏡内内蔵呼気診断装置の構成図
【図２】（ａ）鏡内内蔵呼気診断装置の鏡部分の正面図  （ｂ）鏡内内蔵呼気診断装置の鏡部分の断面図
【図３】本考案の実施の形態における洗面台を使った鏡内内蔵呼気診断装置による動作ステップを説明した図
【図４】従来例における洗面台を使った生体情報取得装置の動作ステップを説明した図
【図５】従来例における生体情報取得装置を備えた洗面台の構成図
【符号の説明】
【００７９】
１０１  洗面台
１０２  鏡
１０３  貫通孔
１０４  表示部
１０５  使用者位置
１０６  水の吐出口
１０７  水鉢
２０１  鏡
２０２  貫通孔
２０３  通気管
２０４  呼気分析器
２０５  空気流動手段（ファン、ポンプ）
２０６  使用者の鏡像
２０７  排気口
２０８  情報処理手段
２０９  表示部
３１０  ステップ  ：  洗面台の前に立つ
３２０  ステップ  ：  鏡利用目的動作
３２１  ステップ  ：  鏡像による外見の確認
３２２  ステップ  ：  鏡像を見ながらの整え動作
３３０  ステップ  ：  呼気診断動作
３３１  ステップ  ：  収集・分析
３３２  ステップ  ：  分析データの処理
３３３  ステップ  ：  分析結果の表示部への表示
３４０  ステップ  ：  洗面台を離れる
４１０  ステップ  ：  洗面台の前に立つ
４２０  ステップ  ：  鏡利用目的動作
４２１  ステップ  ：  鏡像による外見の確認
４２２  ステップ  ：  鏡像を見ながらの整え動作
４３０  ステップ  ：  生体情報取得目的動作
４３１  ステップ  ：  呼気収集マスクの装着
４３２  ステップ  ：  収集・分析
４３３  ステップ  ：  分析データの処理
４３４  ステップ  ：  分析結果の表示部への表示
４４０  ステップ  ：  洗面台を離れる
５０１  洗面台
５０２  鏡
５０３  操作盤
５０４  マスク
５０５  水鉢
５０６  水栓
５０７  表示部
【図１】
0003128011.tif 000003
【図２】
0003128011.tif 000004
【図３】
0003128011.tif 000005
【図４】
0003128011.tif 000006
【図５】
0003128011.tif 000007